(57)【要約】【課題】入力映像信号に応じてバックライト光源の発光輝度を動的に変調する場合でも、ユーザに見やすく高品位のＯＳＤ表示を可能とする。【解決手段】画像表示装置は、入力映像信号の特徴量である平均輝度レベルを検出するＡＰＬ検出部６と、検出されたＡＰＬに基づいてバックライト光源９の発光輝度を動的に可変制御する制御マイコン８と、ＯＳＤ表示用のオンスクリーン表示画像信号を入力映像信号に重畳するＯＳＤ部１とを備えている。そして制御マイコン８は、ＡＰＬ検出部６が検出した入力映像信号のＡＰＬに応じて、ＯＳＤ部１におけるＯＳＤ表示の拡大率の変更、及び／またはＯＳＤ表示の周囲の縁取り表示の変更を行う。これによりＡＰＬに応じてバックライト輝度が低下した場合にも、ＯＳＤ表示の視認性を悪化させないようにすることができる。【選択図】図１
2008304580.tif 000002
【特許請求の範囲】
【請求項１】
バックライト光源を用いて入力映像信号を表示する受光型光変調手段と、前記入力映像信号の特徴量を検出する特徴量検出手段と、前記検出された特徴量に基づいて、前記バックライト光源の発光輝度を動的に可変制御する光源制御手段と、ＯＳＤ表示用のオンスクリーン表示画像信号を前記入力映像信号に重畳するオンスクリーン表示画像信号重畳手段とを備えた画像表示装置であって、前記オンスクリーン表示画像信号重畳手段は、特徴量検出手段が検出した特徴量に応じて、オンスクリーン表示画像信号により表示させるＯＳＤ表示の拡大率の変更、及び／またはＯＳＤ表示の周囲の縁取り表示の変更を行うことを特徴とする画像表示装置。
【請求項２】
請求項１に記載の画像表示装置において、前記オンスクリーン表示画像信号重畳手段は、前記ＯＳＤ表示の周囲の縁取り表示の変更を行って前記縁取り表示を行う場合、前記特徴量検出手段が検出した特徴量に応じて、前記縁取り表示の幅を変化させることを特徴とする画像表示装置。
【請求項３】
請求項２に記載の画像表示装置において、前記オンスクリーン表示画像信号重畳手段は、前記縁取り表示の色として、前記ＯＳＤ表示の色と該ＯＳＤ表示の背景の色との中間色、または前記ＯＳＤ表示の色の補色を設定することを特徴とする画像表示装置。
【請求項４】
請求項１から３のいずれか１に記載の画像表示装置において、前記オンスクリーン表示画像信号重畳手段は、前記特徴量の取り得る範囲を予め複数に分割し、分割したそれぞれの特徴量の範囲に応じて、前記ＯＳＤ表示の拡大率、及び／または周囲の縁取り表示方法を定めた情報を記憶しておき、前記特徴量検出手段が検出した特徴量が、前記分割した特徴量の範囲のいずれに属するかを判定し、判定した特徴量の範囲に応じ定められた該ＯＳＤ表示の拡大率、及び／または周囲の縁取り方法に従って前記入力映像信号にＯＳＤ表示用のオンスクリーン表示画像信号を重畳することを特徴とする画像表示装置。
【請求項５】
請求項１から４のいずれか１に記載の画像表示装置において、前記入力映像信号の前記特徴量は、前記抽出された映像信号の平均輝度レベル、最大輝度レベル、最小輝度レベル、輝度分布状態のいずれか一つまたは二つ以上の組合せにより求められるものであることを特徴とする画像表示装置。
【発明の詳細な説明】
【技術分野】
【０００１】
本発明は、バックライト光源により受光型光変調手段を照明して画像を表示する画像表示装置に関し、より詳細には、入力する映像信号に応じてバックライト光源の輝度を動的に変調する画像表示装置に関するものである。
【背景技術】
【０００２】
受光型光変調手段として液晶パネルを用いて画像を表示する画像表示装置が、テレビジョン受像機やコンピュータ装置等の画像表示に広く使用されている。周知のように液晶パネルを用いた画像表示装置は、電極の設けられた２枚の透明基板の間に液晶を封入し、マトリックス状に配置された駆動電極単位に電圧を制御することによって、液晶分子の集団や配向を制御し、透明基板の背面に設けられたバックライト光源からの照射光の透過率を変化させることによって、液晶パネルに画像を表示している。
【０００３】
このような画像表示装置において、バックライト光源の輝度レベルは、ユーザにより手動操作調整（調光）された値に設定することができ、この場合には、入力映像信号とは無関係にバックライト光源の輝度レベルは一定である。これに対して、より表示画像を見やすくするため、あるいは消費電力を低減するために、随時画面ごとに変化する入力映像信号に応じて、バックライト光源の明るさを動的に調整する方式の画像表示装置が提供されている。
【０００４】
例えば、特許文献１及び特許文献２には、入力映像信号の平均輝度レベル（ＡＰＬ：Average Picture Level）を検出し、検出した平均輝度レベルが大きいときには光源輝度を下げ、小さいときには光源輝度を上げることで、同じ映像階調の表示であっても画面輝度を異ならせて、メリハリのある（ダイナミックコントラストが拡大された）動画表示を可能とするものが提案されている。
【０００５】
また、一般的にこの種の画像表示装置においては、予め用意された設定メニュー画面、現在時刻、選局ＣＨなどの設定モードや動作モードに応じたキャラクタ文字等の各種情報を入力映像信号に重畳（合成）して表示するＯＳＤ（オン・スクリーン・ディスプレイ）機能を有している。そしてＯＳＤ機能を使用することにより、ユーザ・インターフェースの機能を実現したり、ユーザへの各種情報の報知を行うことが可能となっている。
【０００６】
ここで、入力映像信号の特徴量に応じてバックライト光源の輝度を動的に変調することが可能な従来の画像表示装置について、図４及び図５とともに説明する。
従来の画像表示装置は、図４に示すように、図示しないキャラクタジェネレータ（メモリ）から所定のオンスクリーン表示画像信号を読み出し、入力映像信号に重畳（合成）して出力するＯＳＤ部１と、該ＯＳＤ部１にてオンスクリーン表示画像信号が重畳（合成）された表示映像信号に基づいて、液晶パネル３のゲートドライバ４及びソースドライバ５に液晶駆動信号を出力する液晶コントローラ２とを備えている。
【０００７】
また、入力映像信号の平均輝度レベルを１画面ごとに検出するＡＰＬ検出部６と、図示しないリモコン（リモートコントローラ）を用いてユーザが入力した指示信号を受信するリモコン受光部７と、該リモコン受光部７で受信した指示信号を検出・解析し、上記ＯＳＤ部１に対して所定のオンスクリーン表示画像信号を入力映像信号に重畳（合成）するよう制御するとともに、ＡＰＬ検出部６で検出された平均輝度レベルに基づき、バックライト光源９を駆動するインバータ回路等の光源駆動部１０を制御する制御マイコン１８とを備えている。
【０００８】
制御マイコン１８は、図示しない内蔵のＲＯＭを用いたルックアップテーブルを参照したり、あるいは、近似関数を用いた演算によって、入力映像信号の平均輝度レベルに対するバックライト光源９の駆動電圧値（もしくは電流値）を適応的に可変することによって、図５に示すような画面輝度（明るさ）特性を実現することができる。
図５（Ａ）は、入力映像信号の平均輝度レベル（ＡＰＬ）と画面輝度との関係の一例を示すグラフで、図５（Ｂ）は、図５（Ａ）に対応したＡＰＬと画面輝度の数値を示す表である。つまり図５に示すように、バックライト光源の発光輝度制御例においては、入力映像信号の平均輝度レベルが上がるに従ってバックライト光源の発光輝度を低下させ、画面輝度が下がっていくように制御される。また発光輝度制御は、上記の例とは逆に、入力映像信号の平均輝度レベルが上がるに従ってバックライトの発光輝度を増大させるようにしたものもある。また平均輝度レベルを複数の領域に分割して、その領域毎にバックライトの発光輝度を維持したり増減させるようにしたものも知られている。
【０００９】
上記特許文献による従来の技術においては、オンスクリーン表示画像信号により画面にＯＳＤ表示を行った場合、表示映像内容とは独立して安定しているべきＯＳＤ表示部の輝度（明るさ）も入力映像信号の変化に伴って変化してしまい、ユーザに違和感を与えてしまうととともに、表示品位を低下させてしまうという問題があった。
【００１０】
このような問題を解決するために、例えば特許文献３には、入力映像信号に応じて動的にバックライト光源の発光輝度を変調する場合であっても、その明るさが変動しない高品位なＯＳＤ表示を行うことを可能とした画像表示装置が開示されている。この画像表示装置は、バックライト光源を用いて入力映像信号を表示する液晶パネルと、入力映像信号の平均輝度レベルを検出するＡＰＬ検出部と、検出された平均輝度レベルに基づいて、バックライト光源の発光輝度を動的に可変制御する制御マイコンと、所定のオンスクリーン表示画像信号を入力映像信号に重畳（合成）するＯＳＤ部とを備えている。そして制御マイコンは、バックライト光源の発光輝度に応じて、オンスクリーン表示画像信号の輝度レベルを可変制御している。ここではオンスクリーン表示画像信号はキャラクタジェネレータ（メモリ）に格納されるが、このときに異なる輝度レベルのオンスクリーン表示画像信号を格納するようにして、適宜読み出して用いるようにしている。
またこの他、ＯＳＤ表示時には、バックライト光源の発光輝度の動的制御を停止させるようにしたものもある。
【特許文献１】特開平８−２０１８１２号公報
【特許文献２】ＷＯ０３／３８７９９号公報
【特許文献３】特開２００５−３２１４２３号公報
【発明の開示】
【発明が解決しようとする課題】
【００１１】
画像表示装置の画面輝度（明るさ）は、液晶パネルの透過率とバックライト光源の発光輝度（光量）との積で決定される。すなわち、表示する映像内容に応じてバックライト光源の発光輝度、すなわち画面輝度をダイナミックに変化させることにより、動画像の画質にメリハリをつける結果となり、高画質を実現することが可能となる。
しかしながら、オンスクリーン表示画像信号によるＯＳＤ表示を行った場合、表示映像内容とは独立して安定しているべきＯＳＤ表示の画面輝度（明るさ）も、入力映像信号の変化に伴って変化してしまい、ユーザに違和感を与えてしまうととともに、表示品位を低下させてしまうという問題があった。
【００１２】
図６は、従来の画像表示装置における映像表示の輝度とＯＳＤ表示の輝度とを説明するための図である。図６（Ａ）に示すように、比較的平均輝度レベル（ＡＰＬ）が低く暗い画像では、バックライトの輝度が増大されるため、所定の輝度信号レベルを持つＯＳＤ表示もこれに伴って明るくなる。また図６（Ｂ）に示すように、比較的平均輝度レベルが高く明るい画像では、バックライトの輝度が低減され、所定の輝度信号レベルを持つＯＳＤ表示もこれに伴って暗くなる。つまり平均輝度レベルに追従したバックライトの発光輝度制御に応じて、ＯＳＤ表示の画面輝度が変化してしまう。そしてこのとき、バックライト光源の発光輝度が低下したときに、ＯＳＤ表示の画面輝度が下がり過ぎてしまうと、ＯＳＤ表示自体が視聴者にとって見えにくくなり、ＯＳＤの視認性が悪化するという問題が生じる。
【００１３】
また上記特許文献３のように、異なる輝度レベルのオンスクリーン表示画像信号のデータを複数持つ場合、そのデータを格納するメモリ数が増大する。この場合に入力映像信号に対して重畳するオンスクリーン表示画像信号を多段階の輝度レベルで用意することが可能となるものの、メモリ容量の増大に伴うコストの上昇や、実装の適正等に課題が生じる。またメモリ容量を小さくすると、データ量が減ってユーザが視聴時に違和感を感じるという課題が生じる。
【００１４】
本発明は、上述のごとき実情に鑑みてなされたものであって、入力映像信号に応じてバックライト光源の発光輝度を動的に変調する場合でも、ユーザに見やすく高品位のＯＳＤ表示を可能とする画像表示装置を提供することを目的とするものである。
【課題を解決するための手段】
【００１５】
上記課題を解決するために、本発明の第１の技術手段は、バックライト光源を用いて入力映像信号を表示する受光型光変調手段と、入力映像信号の特徴量を検出する特徴量検出手段と、検出された特徴量に基づいて、バックライト光源の発光輝度を動的に可変制御する光源制御手段と、ＯＳＤ表示用のオンスクリーン表示画像信号を入力映像信号に重畳するオンスクリーン表示画像信号重畳手段とを備えた画像表示装置であって、オンスクリーン表示画像信号重畳手段は、特徴量検出手段が検出した特徴量に応じて、オンスクリーン表示画像信号により表示させるＯＳＤ表示の拡大率の変更、及び／またはＯＳＤ表示の周囲の縁取り表示の変更を行うことを特徴としたものである。
【００１６】
第２の技術手段は、第１の技術手段において、オンスクリーン表示画像信号重畳手段は、ＯＳＤ表示の周囲の縁取り表示の変更を行って縁取り表示を行う場合、特徴量検出手段が検出した特徴量に応じて、縁取り表示の幅を変化させることを特徴としたものである。
【００１７】
第３の技術手段は、第２の技術手段において、オンスクリーン表示画像信号重畳手段は、縁取り表示の色として、ＯＳＤ表示の色とＯＳＤ表示の背景の色との中間色、またはＯＳＤ表示の色の補色を設定することを特徴としたものである。
【００１８】
第４の技術手段は、第１から３のいずれかの技術手段において、オンスクリーン表示画像信号重畳手段は、特徴量の取り得る範囲を予め複数に分割し、分割したそれぞれの特徴量の範囲に応じて、ＯＳＤ表示の拡大率、及び／または周囲の縁取り表示方法を定めた情報を記憶しておき、特徴量検出手段が検出した特徴量が、分割した特徴量の範囲のいずれに属するかを判定し、判定した特徴量の範囲に応じ定められたＯＳＤ表示の拡大率、及び／または周囲の縁取り方法に従って入力映像信号にＯＳＤ表示用のオンスクリーン表示画像信号を重畳することを特徴としたものである。
【００１９】
第５の技術手段は、第１から４のいずれかの技術手段において、入力映像信号の特徴量は、抽出された映像信号の平均輝度レベル、最大輝度レベル、最小輝度レベル、輝度分布状態のいずれか一つまたは二つ以上の組合せにより求められるものであることを特徴としたものである。
【発明の効果】
【００２０】
本発明によれば、入力映像信号に応じてバックライト光源の発光輝度を動的に変調する場合でも、ユーザに見やすく高品位のＯＳＤ表示を可能とする画像表示装置を提供することができる。
【発明を実施するための最良の形態】
【００２１】
図１は、本発明による画像表示装置の一実施形態を示すブロック図である。図１において、上述した従来例と同一部分には同一符号を付し、本発明を特徴付ける部分を除いて重複する説明は省略する。本実施形態の画像表示装置は、図１に示すように、入力映像信号の特徴量として１画面当たりの平均輝度レベル（ＡＰＬ）を検出するＡＰＬ検出部６と、ＡＰＬ検出部６で検出された入力映像信号の平均輝度レベルに基づき、光源駆動部１０を駆動制御して、バックライト光源９の発光輝度を変調する制御マイコン８とを備えている。なお、ＡＰＬ検出部６が本発明の特徴量検出手段である。
【００２２】
制御マイコン８は、リモコン受光部７で受信した指示信号を検出・解析し、ＯＳＤ部１に対して所定のオンスクリーン表示画像信号を入力映像信号に重畳（合成）するよう制御する。そして制御マイコン８は、ＯＳＤ部１を制御して、ＡＰＬ検出部６で検出された入力映像信号の平均輝度レベルに応じて、オンスクリーン表示画像信号により表示するＯＳＤ表示の拡大率を変更したり、ＯＳＤ表示の周囲の縁取り表示の変更を行わせる。また周囲の縁取りの表示の行う場合、平均輝度レベルに応じて縁取りの幅を変更する制御を行う。
【００２３】
これら平均輝度レベルに応じたＯＳＤ表示の拡大率データや縁取りデータは、図示しないキャラクタジェネレータ（メモリ）に予め保持しておき、ＯＳＤ部１では、入力映像信号に対してオンスクリーン表示画像信号を重畳するときに、制御マイコン８の指示に従って特定のオンスクリーン表示画像信号を読み出して、入力映像信号に重畳する。またこのときに、キャラクタジェネレータで生成したオンスクリーン表示画像信号を制御マイコン８からの指示に従って調整することが可能な構成としてもよい。
【００２４】
すなわち、制御マイコン８は、入力映像信号の平均輝度レベル（ＡＰＬ）に応じてバックライト光源９の発光輝度を動的に可変制御するが、これと同時にＯＳＤ表示を行うときには、入力映像信号の平均輝度レベルに応じてＯＳＤ表示の拡大率を変更したり、ＯＳＤ表示の周囲に枠を設け、枠の幅を変更したりする制御を行う。ここでは、例えば入力映像信号の平均輝度レベルに応じてバックライト光源の発光輝度が低下したときに、ＯＳＤ表示の拡大率の大きくしたり、あるいはＯＳＤ表示の周囲に枠を設けたりすることにより、画面輝度の低下に伴うＯＳＤ表示の視認性の悪化を防ぐことができるようになる。
【００２５】
またこのような平均輝度レベルに応じたＯＳＤ表示の制御機能は、ユーザ設定によりＯＮ／ＯＦＦ可能となるように構成できる。例えばこの場合、ユーザがリモコンを使用して所定の操作を行うことにより、上記ＯＳＤ表示の制御機能をＯＮ／ＯＦＦできるようにする。そしてＯＳＤ表示の制御機能がＯＮのときには、入力映像信号の平均輝度レベルに応じたバックライト光源の発光輝度の動的制御に応じてＯＳＤ表示の動的制御を実行し、ＯＳＤ表示の制御機能がＯＦＦのときには、平均輝度レベルに応じたバックライト光源の発光輝度の動的制御が行われていてもＯＳＤ表示の動的制御を実行しないようにする。
【００２６】
なお図１の構成において、本発明の受光型光変調手段は液晶パネル３であり、また本発明の光源制御手段は制御マイコン８及び光源駆動部１０により実現される。また本発明のオンスクリーン表示画像信号重畳手段はＯＳＤ部１及び制御マイコン８により実現される。
【００２７】
また本実施形態の画像表示装置においては、直下型バックライト方式、サイドエッジ型バックライト方式のいずれでもよく、またバックライト光源９としては、現在一般的に用いられている冷陰極管（ＣＣＦＬ）の他、発光ダイオード（ＬＥＤ）などを用いることができ、あるいはこれらを併用したものであってもよい。またバックライト光源９の輝度制御方式は、電圧（もしくは電流）制御に限らず、デューティ制御を採用してもよいことは言うまでもない。
【００２８】
図２は、本発明による画像表示装置におけるＯＳＤ表示制御処理の一例を説明するためのフローチャートである。
画像表示装置では、所定の条件下で入力映像信号の特徴量に応じたバックライト光源の発光輝度の動的制御が開始される（ステップＳ１）。ここでバックライト光源の動的制御は、例えば入力映像信号の動きを検出し、入力映像信号が動画であれば、バックライト光源の動的制御を自動起動し、入力映像信号が静止画であればバックライ光源の自動制御を実行しないように設定しておくことができる。あるいはバックライト光源の動的制御をＯＮ／ＯＦＦする操作入力を可能とし、その操作入力に応じて動的制御を開始するようにしてもよい。
【００２９】
そして画像表示装置のＡＰＬ検出部６では、現在のフレーム（ｎフレームとする）の平均輝度レベル（ＡＰＬ（ｎ）とする）を検出する（ステップＳ２）。そして制御マイコン８では、検出したＡＰＬ（ｎ）が、予め定めたＡＰＬの範囲Ｃ１〜Ｃｎのいずれに該当しているかを判別する（ステップＳ３）。
ＡＰＬの範囲Ｃ１〜Ｃｎは、ＡＰＬが取り得る範囲を予め複数段階に分割したもので、各範囲Ｃ１〜Ｃｎに応じてＯＳＤ表示の表示方法を変更できるように設定したものである。例えばｎ＝４として４段階にＡＰＬの全範囲を分割しておく。この場合一例として、ＡＰＬが０％以上２０％未満を第１の範囲Ｃ１、ＡＰＬが２０％以上４０％未満を第２の範囲Ｃ２、ＡＰＬが４０％以上６０％未満を第３の範囲Ｃ３、ＡＰＬが６０％以上１００％以下を第４の範囲Ｃ４として設定することができる。このときに分割数を多くすることにより、さらに細かい表示制御を行うことができる。これら設定した範囲のデータは、制御マイコン８が有するメモリ、もしくはＯＳＤ部１が備えるキャラクタジェネレータ等に保持せしめておく。
【００３０】
そして制御マイコン８は、ＡＰＬ検出部６で検出したＡＰＬ（ｎ）が上記予め定めたＡＰＬの範囲Ｃ１〜Ｃｎのいずれに属するかを判別する（ステップＳ３）。そして判別したＡＰＬの範囲Ｃ１〜Ｃｎのいずれかに応じて、ＯＳＤ表示の制御を行う（ステップＳ４）。
この場合、画像表示装置では、予め定めたＡＰＬの範囲Ｃ１〜Ｃｎのそれぞれに対して、ＯＳＤ表示を行うときの表示方法を定めておく。ここではＯＳＤ表示の拡大率や、ＯＳＤ表示の周囲の縁取りの有無、縁取りを表示する場合縁取りの幅、縁取りの色などを定めておくようにする。そしてこの場合に、入力映像信号の特徴量に応じたバックライト光源の発光輝度の動的制御によってＯＳＤ表示の視認性が悪化しないように、バックライト光源の発光輝度が低いときには、ＯＳＤ表示の拡大率を高くしたり、またＯＳＤ表示の周囲に縁取りを付与し、さらにバックライト光源の発光輝度が低くなるほど縁取りの幅を大きくしたりするように定めておく。これらのＯＳＤ表示の制御の具体例は後述する。
【００３１】
そして制御マイコン８は、バックライト光源の動的制御が終了していれば（ステップＳ５−ＹＥＳ）、これに伴ってＯＳＤ表示の制御処理も終了する。またバックライト光源の動的制御が継続していれば（ステップＳ５−ＮＯ）、ｎ＝ｎ＋１として（ステップＳ６）、ステップＳ２に戻り、次のフレームについて同様のＯＳＤ表示制御を続行する。
【００３２】
なお上記の例では、フレーム毎に検出したＡＰＬに従って、ＯＳＤの表示制御を行うようにしているが、入力映像信号のＡＰＬの変化が大きい場合には、これに伴うＯＳＤ表示の変化も大きくなる。このようなＯＳＤの変化を緩和するために、複数フレームを一制御単位とし、複数フレームのＡＰＬの平均値（もしくは最大値、最小値など）を検出して、その値に応じて上記のようなＡＰＬ範囲別のＯＳＤ表示制御を行うようにしてもよい。
【００３３】
図３は、映像信号の特徴量に応じたＯＳＤ表示の表示制御例を説明するための図である。ここではＡＰＬに応じたＯＳＤに夜文字表示の制御例を説明する。図３において、２１はＯＳＤ表示された文字、２２はＯＳＤ表示された文字の周囲に付加される縁取りである。
図３（Ａ）は、本発明に関わるＯＳＤ表示の動的制御を行わない通常の表示状態のＯＳＤ表示の一例を示す。そして入力映像信号のＡＰＬに応じてバックライト光源の発光輝度を低下させた状態を図３（Ｂ）に示す。図３（Ｂ）に示すように、バックライト光源の発光輝度が低下したときに、ＯＳＤ表示された文字２１をそのままの状態で表示しておくと、文字２１の画面輝度も低下して、文字２１が暗くなり視認しにくくなる場合が生じる。
【００３４】
図３（Ｃ）は、バックライト光源の発光輝度が低下したときのＯＳＤ表示制御の一例を示す図である。図３（Ｃ）の例では、ＯＳＤ表示された文字２１を拡大して表示することにより、バックライト光源の発光輝度が低下した場合でもＯＳＤ表示の視認性の悪化を防ぐようにする。
拡大率は、ＡＰＬの範囲Ｃ１〜Ｃｎに応じて適宜段階的に設定することができる。例えば、へ平均輝度レベルが低い程バックライト光源の発光輝度を高くする制御であるとき、バックライト光源の発光輝度が高いＣ１からＣｎに向かって順に、拡大率を１．０倍（拡大なし）、１．１倍、１．２倍、１．３倍・・のように拡大率が順次増大するように定めておくことができる。
【００３５】
図３（Ｄ）は、バックライト光源の発光輝度が低下したときのＯＳＤ表示制御の他の例を示す図である。図３（Ｄ）の例では、ＯＳＤ表示される文字２１の周囲に縁取り２２を設けて表示することにより、バックライト光源の発光輝度が低下した場合でもＯＳＤ表示された文字２１の視認性の悪化を防ぐようにしている。そしてこのときに、縁取り２２の色は、ＯＳＤ表示された文字２１の背景色と文字２１の色との中間色に設定することができる。もしくはＯＳＤ表示を行う文字２１の補色を設定してもよい。例えば文字放送では文字色と背景色が放送信号により指定されてくるので、その指定色情報を用いて中間色または補色を設定することができる。またユーザが色指定するメニューなどでは、その指定色を用いることができる。
【００３６】
そしてこのときの縁取り２２の幅は、ＡＰＬの範囲Ｃ１〜Ｃｎに応じて適宜段階的に設定することができる。例えば、ＡＰＬが低い程バックライト光源の発光輝度を高くする制御であるとき、バックライト光源の発光輝度が高いＣ１からＣｎに向かって順に、縁取り２２の幅を０ｄｏｔ（縁取りなし）、１ｄｏｔ、２ｄｏｔ、３ｄｏｔ・・のように定めておくことができる。  
【００３７】
図３（Ｅ）は、バックライト光源の発光輝度が低下したときのＯＳＤ表示制御のさらに他の例を示す図である。図３（Ｅ）の例では、図３（Ｃ）のようにＯＳＤ表示の文字２１が拡大された状態で、さらに文字２１の周囲に縁取り２２を付与してＯＳＤ表示の視認性を向上させている。このような表示制御は、例えば図３（Ｃ）の拡大された状態よりもバックライト光源の発光輝度が低いときに表示するようにしてもよく、また文字２１を拡大するときに同時その文字２１の周囲に縁取り２２を設けるようにしてもよい。
またこのときの文字２１の拡大率は、上記のようにＡＰＬに応じて多段階に可変設定することができ、同時に縁取り２２の幅も多段階に設定することができる。さらにこのとき、文字２１の拡大率は一定として縁取り２２の幅を多段階に変化させてもよく、これとは逆に縁取り２２の幅は一定として文字２１の拡大率を多段階に変化させるようにしてもよい。
【００３８】
いずれにしても、上記の例により、入力映像信号のＡＰＬに応じてバックライト光源の発光輝度が変化するとき、バックライト光源の発光輝度が低くなるに従って、ＯＳＤ表示を拡大して表示したり、ＯＳＤ表示の周囲に縁取りを表示し、同時に縁取りの幅を変化させたり、あるいはこれらを組み合わせてＯＳＤ表示を行うことにより、ＡＰＬに追従して画面輝度が低下したときにもＯＳＤ表示の視認性を低下させることなく、高品位の画像表示を維持することができるようになる。
【００３９】
また上記の実施形態では、入力映像信号のＡＰＬを複数段階に分割して、その分割したＡＰＬに応じてＯＳＤ表示を動的に制御しているが、ＡＰＬに応じて制御される目標のバックライト光源の発光輝度レベルに応じてＯＳＤ表示を動的に制御するものであってもよい。この場合には、ＡＰＬの変化に応じて取り得るバックライト光源の発光輝度レベルを複数段階に区分し、入力映像信号から検出したＡＰＬからその区分を判別し、判別した区分に応じてＯＳＤ表示を動的に制御する。このような制御により、ＡＰＬに対してバックライト光源の発光輝度が一律に増加（もしくは減少）しないような複雑な輝度変換特性が適用されている場合であっても、バックライト光源の発光輝度レベルに応じたＯＳＤ表示の制御を行うことができる。
【００４０】
また本発明に関わる他の実施形態では、上記のような複数段階に分割したＡＰＬに応じた制御ではなく、ＡＰＬに応じて無段階に変化させていくものであってもよい。この場合、キャラクタジェネレータで生成したオンスクリーン表示画像信号を、制御マイコン８からの指示に従って無段階に調整可能な構成とすることができる。例えばＡＰＬの変化に応じて、ＯＳＤ表示の拡大率を無段階に変化させたり、あるいは所定のＡＰＬレベル以下（または以上）にてＯＳＤ表示に縁取りを付与し、さらにＡＰＬの増減に合わせて縁取りの幅を無段階で増大させていくような構成であってもよい。
【００４１】
また上記各実施形態においては、入力映像信号の特徴量として、表示画面内における検出領域の平均輝度レベル（ＡＰＬ）を用いているが、本発明ではこれに限らず、表示画面内における特定領域の映像信号に対するピーク輝度の状態（有無または多少）を求めて、バックライト光源の輝度変調とＯＳＤ制御に利用する構成としてもよい。
同様に入力映像信号の特徴量として、１フレーム内の所定領域（期間）における最大輝度レベルや最小輝度レベル、輝度分布状態（ヒストグラム）を用いたり、またはこれらを二つ以上組み合わせて求めた特徴量に基づき、バックライト光源の発光輝度を可変制御し、同時にＯＳＤの表示制御を行うようにしてもよい。さらに入力映像信号の特徴量に応じて、バックライト光源の発光輝度を可変制御するとともに、これと連動して、入力映像信号の階調補正制御を行う構成としてもよい。
【図面の簡単な説明】
【００４２】
【図１】本発明による画像表示装置の一実施形態を示すブロック図である。
【図２】本発明による画像表示装置における制御動作の一例を説明するためのフローチャートである。
【図３】本発明による画像表示装置における映像信号の特徴量に応じたＯＳＤ表示の表示制御例を説明するための図である。
【図４】従来の画像表示装置の概略構成例を示すブロック図である。
【図５】従来の画像表示装置における入力映像信号の平均輝度レベルと画像輝度との関係の一例を示す図である。
【図６】従来の画像表示装置における映像表示の輝度とＯＳＤ表示の輝度とを説明するための図である。
【符号の説明】
【００４３】
１…ＯＳＤ部、２…液晶コントローラ、３…液晶パネル、４…ゲートドライバ、５…ソースドライバ、６…ＡＰＬ検出部、７…リモコン受光部、８…制御マイコン、９…バックライト光源、１０…光源駆動部、１８…制御マイコン、２１…ＯＳＤ表示された文字、２２…縁取り。
【図１】
2008304580.tif 000003
【図２】
2008304580.tif 000004
【図３】
2008304580.tif 000005
【図４】
2008304580.tif 000006
【図５】
2008304580.tif 000007
【図６】
2008304580.tif 000008